(57)【要約】 【課題】  ロール状ペーパーを常に手軽に使用できる状態に保持しておける使い勝手の良いロールペーパーホルダーを提供する。【解決手段】  コの字状に曲成した平行状のフレームをコの字状に折曲して第１アーム１と第２アーム２を構成する。第２アーム２に台部３を設けて固定面Ｗへの取付手段５を付設する。第１アーム１をスライド部とするスライダー８を設けて、ロール状ペーパーＰが回動自在に嵌挿・支持される伸縮自在の支持アーム９を構成する。本構成では、ペーパーのセットは支持アーム９にロール状ペーパーＰの嵌挿孔を挿入するだけであるので極めて容易であり、且つ、支持アーム９を伸縮することにより、筒長の異なるロール状ペーパーＰにも容易に対応できる。【選択図】    図１
2005021599.tif 000002
【特許請求の範囲】
【請求項１】
ロール状ペーパーを固定面に保持するためのホルダーであって、
コの字状に曲成した平行状のフレームをコの字状に折曲して第１アームと第２アームを構成し、前記第２アームに台部を設けて固定面への取付手段を付設すると共に、前記第１アームに当該第１アームをスライド部とするスライダーを設けて、前記ロール状ペーパーが回動自在に嵌挿・支持される伸縮自在の支持アームを構成したことを特徴とするロールペーパホルダー。
【請求項２】
前記スライダーの端部に収納自在の係止片を設けて、前記ロール状ペーパーの脱落防止機構としたことを特徴とする請求項１に記載のロールペーパーホルダー。
【請求項３】
前記スライダーに、前記支持アームの伸長時に前記第１アームの先端部が当接する突部を設けて前記スライダーの離脱防止機構としたことを特徴とする請求項１または請求項２の何れかに記載のロールペーパーホルダー。
【発明の詳細な説明】
【技術分野】
【０００１】
本発明は、冷蔵庫の側面等に取り付けて使用できるペーパータオル等ロール状ペーパーのホルダーに関する。
【背景技術】
【０００２】
従来、肉、魚、野菜等の水切や食器の油汚れ等を拭うペーパータオル等、ロール状に巻かれたキッチン用のシートは、付属の紙ケースやビニール袋等に収納された状態で吊り戸棚の上や流し台の引き出しの中に保管しておき、ペーパータオルが必要な時は、取り出して必要分を引き出して使用している。
しかしながら、ペーパータオルを使用する際、棚や引き出し等所定の場所からペーパータオルを取り出して必要分を引き出して使用し、使用後は、再度元の場所に保管するという面倒な作業は、忙しい炊事中にあっては極めて煩わしいことであり、特に、ペーパタオルの保管場所が離れている場合は尚更のことである。  このような不都合から、左右一対の支持アームによりロール状ペーパの両端を回動自在に支持して壁面等に保持しておくホルダーが提案されており、例えば、特許文献１、特許文献２が開示されている。
【特許文献１】実開昭６１−１６０９５号公報
【特許文献２】特開平１０−２３９７９号公報
【発明の開示】
【発明が解決しようとする課題】
【０００３】
しかしながら、上記した特許文献のようなロールペーパーを両側から支持する構造は、異なる筒長のロールペーパーに対して対応が難しく、長さ調整（支持アームの間隔調整）の機構も複雑化することから、支持できるロールペーパーの筒長も限られていた。尚、特許文献２は、用意された各種の筒長に対応した複数の支持アームを任意に選択して使用し、筒長に対応できる構造であるが、ロールペーパーを保持する際に、その都度筒長に応じた支持アームに交換する操作は面倒であった。
【０００４】
本発明は、このような従来の問題に鑑みて成されたもので、ペーパータオル等のロール状ペーパーを常に手軽に使用できる状態に保持しておくことができる使い勝手の良いロールペーパーホルダーを提供することを目的としている。
【課題を解決するための手段】
【０００５】
すなわち、請求項１に記載の本発明は、ロール状ペーパーを固定面に保持するためのホルダーであって、コの字状に曲成した平行状のフレームをコの字状に折曲して第１アームと第２アームを構成し、前記第２アームに台部を設けて固定面への取付手段を付設すると共に、前記第１アームに当該第１アームをスライド部とするスライダーを設けて、前記ロール状ペーパーが回動自在に嵌挿・支持される伸縮自在の支持アームを構成したことを特徴としている。
【０００６】
また、請求項２に記載の本発明は、請求項１に記載のロールペーパーホルダーにおいて、前記スライダーの端部に収納自在の係止片を設けて、前記ロール状ペーパーの脱落防止機構を構成したことを特徴としている。
【０００７】
また、請求項３に記載の本発明は、請求項１または請求項２の何れかに記載のロールペーパーホルダーにおいて、前記スライダーに、前記支持アームの伸長時に前記第１アームの先端部が当接する突部を設けて前記スライダーの離脱防止機構を構成したことを特徴としている。
【０００８】
ここで、請求項１に記載の構成では、ペーパーのセットは、支持アームにロール状ペーパーの嵌挿孔を挿入するだけで極めて容易に行うことができ、且つ、支持アームを伸縮することにより、筒長の異なるロール状ペーパーにも容易に対応することができ、ペーパーの大小を問わず確実にセットとすることができる。
また、請求項２に記載の構成では、ロール状ペーパーの巻側面に接するように係止片を位置させることにより、ペーパー引き出し時のロール状ペーパーの横ズレが規制され、支持アームから脱落することも無く、ペーパーの引き出しがスムーズに行えるようになる。また、係止片はスライダーに収納可能であるであるから、ロール状ペーパーの着脱に支障を来すことはない。
また、請求項３に記載の構成では、支持アームの長さ調整時にスライダーを引き抜き過ぎて第１アームより離脱させるといった不都合を回避できる。
【発明の効果】
【０００９】
以上、説明したように、請求項１に記載の本発明によれば、第１アームにスライダーを設けて、ロール状ペーパーが回動自在に嵌挿・支持される伸縮自在の支持アームを構成したので、ペーパーのセットは、支持アームにロール状ペーパーの嵌挿孔を挿入するだけの簡単な操作で行うことができ、且つ、筒長の異なるロール状ペーパーでも筒長に合わせて支持アームを伸縮することにより、ペーパーの大小を問わず確実にセットとすることができる。
【００１０】
また、請求項２に記載の本発明によれば、スライダーの端部に収納自在の係止片を設けたので、ロール状ペーパーをセットして、その巻側面に係止片を接触させることにより、ペーパー引き出し時の横ズレが規制され、支持アームからの脱落も防止できるため、ペーパーの引き出しがスムーズに行えるようになる。更に、係止片はスライダーに収納可能であるであるから、ペーパーの着脱に支障を来すことはない。
【００１１】
また、請求項３に記載の本発明によれば、スライダーに、支持アームの伸長時に第１アームの先端部が当接する突部を設けたので、支持アームの長さ調整時に、スライダーを引き過ぎて、第１アームより離脱させるといった不都合を回避でき、使い勝手が向上する。
【発明を実施するための最良の形態】
【００１２】
以下、図１〜図３に基づいて本発明に係るロールペーパーホルダーの一実施形態を説明する。
ここで、図１は本実施形態のロールペーパーホルダーの構造を示す図、図２はスライダーの分解斜視図、図３はスライダーの斜視図である。
【００１３】
図１に示すように、本実施形態のロールペーパーホルダー１０は、ステンレス等による金属製の棒状フレーム（所謂、金属線材）をコの字に曲成して相平行する一対のフレーム１ａ、１ｂとし、更に、これらを適当な箇所でコの字状に一括折曲して平行状の第１アーム１と第２アーム２を構成している。第２アーム２の長さは第１アーム１に比べて幾分短くしてある。
【００１４】
第１アーム１は、ペーパータオルＰの支持用であり、一般的なペーパータオルＰが回動自在に装着できるように、一対の金属フレーム１ａ、１ｂの間隔と垂直部４の寸法が好適に設定されている。
即ち、第１アームの先端部１ｃの寸法は、ペーパータオルＰの嵌挿孔径より幾分短くし、且つ、垂直部４の寸法は、ペーパータオルＰの最大巻径の１／２以上にしている。
【００１５】
一方、第２アーム２の長手中央部には、上記同様の金属フレームを台形状に折曲した支持脚が溶着等により接着されて、上記した第１アーム１を支える台部３を構成しており、且つ、この台部３の内側に位置するように、マグネット５を固着した合成樹脂製の薄板６が取付部７を介して第２アーム２に固定されて、壁面Ｗ（例えば、冷蔵庫の側面等）等への取付手段を構成している。
尚、マグネット５の支持体として弾性のある合成樹脂製等の薄板６を使用すると、マグネット５の磁気吸引力により薄板６が取付面に沿って変形するため、曲面を有する壁面Ｗへの磁着が可能となる。
【００１６】
一方、第１アーム１には、相平行する一対の金属フレーム１ａ、１ｂをスライドレールとして用いたスライダー８が摺動自在に嵌着されており、この第１アーム１とスライダー８とにより、ペーパータオルＰが回動自在に嵌挿・支持される伸縮自在の支持アーム９を構成している。このように、第１アーム１自体をスライドレールとして使用することにより、支持アーム９の構造を簡略化でき、コストの低減が図れる。
【００１７】
スライダー８は、図２、図３に示すように、一端に楕円状の鍔部１６を有し、他端を開放した合成樹脂製の断面コの字形の板体で成り、このコの字形板体の対向縁辺１２、１２の長手方向の一部分を内側に湾曲して、２本の金属フレーム１ａ、１ｂが摺動可能に接触するガイド溝１１、１１を形成している。尚、このスライダー８の幅方向の寸法をペーパータオルＰの嵌挿孔の径より幾分狭くして、嵌挿したペーパータオルＰががたつかずに回動できるようになっている。
【００１８】
また、コの字形板体の拡幅部１３の開放端側に長手方向にコの字形の切り込み１７を設けて、その内側の可動部分に弾性を持たせると共に、この弾性可動部１４の先端に三角状の突部１５を設けて、スライダー８の脱離防止機構を構成している。本実施形態では、この突部１５が拡幅部１３の長手方向の略中央部に位置するように切り込み１７を設けている。
この突部１５の垂辺は第１アーム１の先端部１ｃに対向する方向に向けられており、図３に示すように、先端部１ｃと突部１５の垂辺が当接することにより、スライダー８の矢印ａ方向の摺動、即ち、支持アーム９の伸長動作を、この突部１５にて規制できるようになっている。これにより、支持アーム９の長さ調整時にスライダー８を引き抜き過ぎて、第１アーム１より脱離させる不都合を回避できる。
【００１９】
一方、スライダー８を第１アーム１に取り付ける場合、第１アーム１は矢印ａ方向への移動となる。即ち、第１アーム１の先端側をスライダー８の開放部よりガイド溝１１に沿って挿入すると、第１アーム１の先端部１ｃが突部１５の斜辺を下から上へ滑動して、その先端側が鍔部１６と突部１５との間の空間部１３ａに収まる状態となり、スライダー８は、この空間部１３ａの長手方向の範囲内において矢印ａ、ｂ方向に摺動自在となる。即ち、支持アーム９は、この範囲内で伸縮自在となる。尚、突部１５は弾性可動部１４に設けてあるので、その弾性作用により、突部１５が存在してもスライダー８の着脱はスムーズに行える。
【００２０】
また、スライダー８には、図２に示すように、楕円形を成す鍔部１６の端寄りの部位に割軸１８が突設しており、この割軸１８に鍔部１６と同形状で、且つ、割軸１８との対応位置に嵌合孔２０を設けた係止片１９を回動自在に嵌合して、ペーパータオルＰの脱落防止機構を構成している。この係止片１９は鍔部１６の端面に対して偏心回動するため、回動する角度によって、係止片１９が鍔部１６の端面内に収まる状態と、鍔部１６の端面より外方向に突出する状態をとる。
【００２１】
支持アーム９にペーパータオルＰをセットする場合は、図１（ｃ）の実線で示すように、係止片１９が鍔部１６内に収まる状態にしておいて、支持アーム９をペーパータオルＰの嵌挿孔に挿入し、挿入後は、破線で示すように、ペーパータオルＰの巻側面に係止片９が接するように係止片１９を回動して位置決めする。
これにより、ペーパー引き出し時のペーパータオルＰの横ズレが規制でき、且つ、支持アーム９から脱落することもなくなるため、ペーパーの引き出しがスムーズに行えるようになる。
【００２２】
以上、説明したように、本発明のロールペーパーホルダー１０は、支持アームにロール状のペーパータオルＰの嵌挿孔を挿入するだけであるので、ペーパーのセットは極めて容易に行え、且つ、スライダー８を摺動して支持アーム９を伸縮することにより、筒長の異なるペーパータオルＰも確実にセットすることができる。これにより、ロールペーパーホルダー１０の使い勝手が向上する。
【００２３】
また、本構成であれば、ロールペーパーホルダー１０の壁面Ｗへの取付向きを変えることにより、ペーパータオルＰを縦横どちらの向きにも自由にセットすることができる。セット方向は使用者の使い勝手やホルダーの取付場所に応じて適宜決めれば良い。
【００２４】
尚、本実施形態では、壁面Ｗへの取付手段としてマグネット５を用いたが、この他、粘着テープや吸盤等、公知の取付手段が適用できることは勿論である。
【図面の簡単な説明】
【００２５】
【図１】本発明の実施形態に係るロールペーパーホルダーを示し、（ａ）は平面図、（ｂ）は正面図、（ｃ）は側面図。
【図２】スライダーの分解斜視図。
【図３】スライダーの内側を示し、（ａ）斜視図、（ｂ）はＡ−Ａ断面図。
【符号の説明】
【００２６】
１  第１アーム
１ｃ  先端部
２  第２アーム
３  台部
８  スライダー
９  支持アーム
１０  ロールペーパーホルダー
１５  突部
１９  係止片
Ｍ  取付手段（マグネット）
Ｐ  ロール状ペーパー（ペーパータオル）
Ｗ  固定面（壁面）
【図１】
2005021599.tif 000003
【図２】
2005021599.tif 000004
【図３】
2005021599.tif 000005